(57)【要約】【課題】  ＲＦケーブルに電源と監視信号を重畳する同軸給電方式を用い、親機と子機とが同一のケーブルで接続されているシステムにおいて、監視信号の自動終端が確実に制御され、通信不可能となる事態を回避できる終端制御システムを提供する。【解決手段】  ＲＦケーブルに電源と監視信号とを重畳する同軸給電システムにおいて、同一のケーブルで接続される親機と複数の子機とを備え、子機は電流センサを有して、ケーブルの電流を検知することにより、次段の子機が接続されているかどうかを判定する手段と、判定できない場合は自動的に終端させる手段とを備え、監視信号の終端を制御する終端制御システムとした。【選択図】      図１
2006352588.tif 000002
【特許請求の範囲】
【請求項１】
ＲＦケーブルに電源と監視信号とを重畳する同軸給電システムにおいて、
同一のケーブルで接続される親機と複数の子機とを備え、
子機は電流センサを有して、ケーブルの電流を検知することにより、次段の子機が接続されているかどうかを判定する手段と、判定できない場合は自動的に終端させる手段とを備え、監視信号の終端を制御する、ことを特徴とする終端制御システム。
【請求項２】
請求項１に記載の終端制御システムにおいて、
前記子機が有するＣＰＵにより、終端の判断を行う、ことを特徴とする終端制御システム。
【請求項３】
請求項１に記載の終端制御システムにおいて、
前記親機が有するＣＰＵにより、末端子機の終端の判断を行う、ことを特徴とする終端制御システム。
【請求項４】
請求項１に記載の終端制御システムにおいて、
前記子機は温度センサを有して、前記電流センサの温度補償を行う手段を備える、ことを特徴とする終端制御システム。
【発明の詳細な説明】
【技術分野】
【０００１】
本発明は、ＲＦケーブルに電源と監視信号を重畳する同軸給電システムの制御に係り、より詳細には、親機と子機とが同一のケーブルで接続されているシステムにおける監視信号の終端制御に関するものである。
【背景技術】
【０００２】
従来のシステムでは、システムを設置する際に、設置者が末端子機に終端器を取り付けるか、または、各子機に内蔵されている終端スイッチを末端子機にのみＯＮさせていた。このように、設置時に末端子機の監視信号を終端させることにしているため、設置した後に異常が発生して終端が外れた場合には、反射波を生じてシステムが通信不能になる虞があった。
【０００３】
図３は、従来のシステムを示す図であり、このシステム３００で起こりうる問題点を説明するための図である。
この図３のシステム３００では、親機と子機(１〜１０)とを備えており、子機１０を末端子機として設定したとき、この子機１０の終端が外れた場合には、この子機１０の出力端で反射波が生じることとなり、その波形は［３４］のようになる。
【０００４】
また、図３の従来のシステム３００では、子機１０から［λ/４］離れた子機を子機１とすると、親機の波形は［３１］であって、子機１の入力波形は［３２］である。これらの子機１と子機１０とは［λ/４］だけ離れているため、子機１の波形と子機１０で反射した信号が子機１まで到達した時の波形は逆位相となり、［３３］のようになる。このようにして、監視信号を打ち消し合うために、監視電源からの信号が子機１では減衰してしまう。
【０００５】
このように、ＲＦケーブルに電源と監視信号を重畳する同軸給電方式を用い、親機と子機とが同一のケーブルで接続されている従来のシステムでは、設置するケーブル長の間隔によっては、監視装置と末端子機との間に接続された子機において、監視電源からの信号が減衰するため、通信不可能になる危険性がある。
【０００６】
本発明による終端制御システムに係わる技術分野の特許文献としては、例えば、次のようなものがある。
【特許文献１】特開２００２−３００１１９号公報
【特許文献２】特開２００３−８５２４号公報
【発明の開示】
【発明が解決しようとする課題】
【０００７】
ＲＦケーブルに電源と監視信号を重畳する同軸給電方式を用い、親機と子機とが同一のケーブルで接続されている従来のシステムでは、設置するケーブル長間隔によっては、監視装置と末端子機との間に接続された子機において、監視電源からの信号が減衰し、通信不可能になるので、末端に接続された子機は常に終端されなくてはならない、という問題点がある。
本願発明は、上述の問題点を解決し、監視信号の自動終端が確実に制御され、通信不可能となる事態を避けることができる終端制御システムを提供することを目的とする。
【課題を解決するための手段】
【０００８】
（１）ＲＦケーブルに電源と監視信号とを重畳する同軸給電システムにおいて、
同一のケーブルで接続される親機と複数の子機とを備え、
子機は電流センサを有して、ケーブルの電流を検知することにより、次段の子機が接続されているかどうかを判定する手段と、判定できない場合は自動的に終端させる手段とを備え、監視信号の終端を制御する終端制御システムとした。
【０００９】
（２）(１)の終端制御システムにおいて、
前記子機が有するＣＰＵにより、終端の判断を行う。
（３）(１)の終端制御システムにおいて、
前記親機が有するＣＰＵにより、末端子機の終端の判断を行う。
（４）(１)の終端制御システムにおいて、
前記子機は温度センサを有して、前記電流センサの温度補償を行う手段を備える。
【発明の効果】
【００１０】
本願発明による終端制御システムでは、上記の構成をとることにより、末端子機は、常に監視信号の終端を制御することができる。また、ＣＰＵによって終端条件を判定ができるので、設置後に末端子機が故障等の不測の事態による誤動作を防止することができ、監視信号の自動終端が確実に実行されることにより、終端による通信異常や通信不可能な状態を無くすことができる。
【発明を実施するための最良の形態】
【００１１】
本発明による終端制御システムの一実施の形態について、添付の図面を参照して詳細に説明する。図１は、本発明による終端制御システムにかかる図であり、図１(ａ)は子機１の全体構成図であり、また図１(ｂ)は自動終端ブロック図である。そして、図２は、終端制御システムの一実施形態であるシステム１００を示す構成図である。
【００１２】
図１(ａ)の子機１において、(１)点より、親機からのＲＦに電源と監視信号が、重畳された信号として入力される。そして、(２)の点より、次に接続される子機へ、ＲＦ、電源、監視信号が出力される。そして、この子機１では、(１)の入力から出力への経路に電流センサ(１)を設けることとし、これによって出力の電流を検知して、次段の子機の有無を判別することができる。
【００１３】
図１(ｂ)は、電流検知を実行するための自動終端ブロック図である。入力→出力の経路に電流センサ１１が配設されており、これにより出力電流が検知される。
経路１２は電流センサ１１からの出力電圧であり、次段に子機が接続されているかによって、出力電流が変化するため、この経路１２の電圧も変動する。
【００１４】
経路１３にはＲＦ温度センサリファレンス電圧１５が与えられ、コンパレータ１６において、経路１２の電流センサ１１からの電圧と、経路１３のリファレンス電圧１５とが比較され、そのときの電圧が経路１４に与えられる。このＲＦ温度センサリファレンス電圧１５は、温度センサを含んでいて、電流センサ１１の温度補償を行うことができる。
そして、この経路１４には、コンパレータ１６における比較により、ＨｉまたはＬｏで出力される。また、この経路１４の電圧はＣＰＵ１７に送られて、終端が行われる。
【００１５】
本発明による終端制御システムで用いられる終端方法としては、コンパレータで判定して行う方法、各子機に内蔵されているＣＰＵによって監視信号の終端を判断する方法、通信不能で自機後の子機が接続されない時にのみ終端する等の方法があり、また、終端条件を判断して終端する方法、親機が子機からの応答の有無で子機の終端指示を行う方法などを用いてもよく、これらの方法を設計に応じて適宜に採用することができる。
【００１６】
つぎの図２は、終端制御システムの一実施形態にかかるシステム１００を示す構成図であって、このシステム１００は「親機２０−子機２１−子機２２−子機２３−」のように、１台の親機から複数台の子機が、同軸ケーブルを介して、直列的に接続される構成となっている。
このシステム１００では、子機２１〜子機２３を含む全子機について、出力端に電流を検出する電流センサ(Ｓ１,Ｓ２,Ｓ３,…)が接続されている。このセンサにより、次段に子機が接続されているかどうかの検出を行うことができる。また、次段の子機が検出されない場合には、自動的に終端するような設定がなされている。
【００１７】
また、このシステム１００の別の終端制御方式として、終端動作を子機(２１,２２,２３,…)が内蔵するＣＰＵにより判断させて、終端を行うことができる。そして、このＣＰＵで終端させる条件を複雑なものにすることで、誤動作を防止させることができる。
さらに、このシステム１００のまた別の終端制御方式として、終端の判断を親機２０が内蔵するＣＰＵに行わせることができ、必要に応じて終端指示を親機２０が行うこともできる。このようにすれば、親機２０が子機の接続台数や接続位置等を把握することにより、より複雑な条件による終端を可能とすることができる
【産業上の利用可能性】
【００１８】
本発明による終端制御システムは、例えば、屋外アンテナの近傍に受信増幅器を配置して、受信増幅器と屋内の主システムとを同軸ケーブルで接続する構成の移動体通信基地局装置などにおいて、受信増幅器への電源給電及び電源給電異常を監視する監視制御装置が設けられたシステムの終端制御方式として適用される。
【図面の簡単な説明】
【００１９】
【図１】本発明による終端制御システムの一実施形態を示す図であり、(ａ)子機の全体図と(ｂ)自動終端ブロック図である。
【図２】本発明による終端制御システムの一実施形態にかかるシステム１００を示す構成図である。
【図３】従来のシステム３００を説明するための図である。
【符号の説明】
【００２０】
１００  本発明によるシステム
２０    親機
２１、２２、２３    子機
Ｓ１、Ｓ２、Ｓ３    電流センサ
１１    電流センサ
１２、１３、１４    経路
１５    ＲＦ温度センサリファレンス電圧
１６    コンパレータ
１７    ＣＰＵ
３００  従来のシステム
【図１】
2006352588.tif 000003
【図２】
2006352588.tif 000004
【図３】
2006352588.tif 000005